(57)【要約】【課題】  イヤーパッドを備えるヘッドホンに関し、イヤーパッドがバッフル部材の貫通孔に干渉しないようにして、所定の音響特性が得られるヘッドホンを提供する。【解決手段】  ヘッドホンは、動電型スピーカーユニットを取り付けるバッフル部材と、前面空間を規定するイヤーパッドと、イヤーパッドをバッフル部材の一方面側に取り付けるイヤーパッド取付部材と、背面空間を規定するハウジング部材と、を備え、イヤーパッド取付部材が、イヤーパッドとバッフル部材との間に介在して、かつ、前面空間側から見る場合にイヤーパッドによって覆われて隠れる位置に取り付けられて、イヤーパッドとバッフル部材とを密着しないように離間させ、バッフル部材が、前面空間と背面空間とを連通させる貫通孔を、イヤーパッドによって覆われて隠れ、かつ、イヤーパッド取付部材によって塞がれない位置に有する。【選択図】  図３
2019149690.tif 000002
【特許請求の範囲】
【請求項１】
振動板を有して音声を再生する動電型スピーカーユニットと、該動電型スピーカーユニットを取り付けるバッフル部材と、ユーザーの耳の周囲に当接して前面空間を規定するイヤーパッドと、該イヤーパッドを該バッフル部材の一方面側に取り付けるイヤーパッド取付部材と、該バッフル部材の他方面側に背面空間を規定するハウジング部材と、を備えるヘッドホンであって、
該イヤーパッド取付部材が、該イヤーパッドと該バッフル部材との間に介在して、かつ、該前面空間側から見る場合に該イヤーパッドによって覆われて隠れる位置に取り付けられて、該イヤーパッドと該バッフル部材とを密着しないように離間させ、
該バッフル部材が、該前面空間と該背面空間とを連通させる貫通孔を、該イヤーパッドによって覆われて隠れ、かつ、該イヤーパッド取付部材によって塞がれない位置に有する、
ヘッドホン。
【請求項２】
前記イヤーパッド取付部材が、柱状、または、梁状の部材であって、その長さが、略円環状の前記イヤーパッドの径方向寸法における幅寸法長よりも短く形成されている、
請求項１に記載のヘッドホン。
【請求項３】
前記バッフル部材が複数の前記貫通孔を有する場合に、複数の前記イヤーパッド取付部材が前記イヤーパッドと該バッフル部材との間に介在して、該イヤーパッドと該バッフル部材とを密着しないように離間させる、
請求項１または２に記載のヘッドホン。
【請求項４】
前記イヤーパッド取付部材が、柔軟性を有する多孔質材料により形成されている、
請求項１から３のいずれかに記載のヘッドホン。
【請求項５】
前記イヤーパッド取付部材が、前記イヤーパッドを密着するように支え、該バッフル部材との間に離間空間を規定する略円環状の平面部をさらに有する、
請求項１から４のいずれかに記載のヘッドホン。
【請求項６】
前記イヤーパッド取付部材が、前記バッフル部材と一体に形成されている、
請求項１から５のいずれかに記載のヘッドホン。
【発明の詳細な説明】
【技術分野】
【０００１】
本発明は、音声信号を電気音響変換して音声を再生するスピーカーユニットと、スピーカーユニットを取り付けるハウジングと、イヤーパッドと、を備えるヘッドホンに関する。
【背景技術】
【０００２】
ヘッドホンは、ユーザーの耳に当接するように近接配置されるスピーカーユニットに音声信号を印加することにより音を再生する。ヘッドホンは、スピーカーユニットを取り付けるバッフル部材と、バッフル部材の他方面側に背面空間を規定するハウジングを備える。左右の両耳に配置されるハウジングを連結するヘッドバンドをさらに備えてオーバーヘッドタイプのヘッドホンを構成する場合には、ユーザーの耳の周囲に当接するイヤーパッドをさらに備える場合がある。
【０００３】
イヤーパッドは、ユーザーの耳の周囲に当接して前面空間を規定する。印加された音声信号によりスピーカーユニットが駆動されると、スピーカーユニットの振動板は、前面空間と背面空間とに互いに逆相の関係になる音波を放射する。したがって、スピーカーユニットを取り付けるバッフル部材は、前面空間と背面空間とを分けて規定する一方で、前面空間と背面空間とを連通させる音響回路としての貫通孔を設ける場合がある。バッフル部材の貫通孔は、ヘッドホンが適切な音響特性が得られるように制動材などを併用して設計される。
【０００４】
ヘッドホンに用いる動電型のスピーカーユニットがイヤーパッドに対して相対的に大口径化すると、イヤーパッドに干渉しないようにバッフル部材の貫通孔を設けるのが難しくなるという問題がある。ユーザーの耳の寸法はある程度決まっているので、ヘッドホンの快適な装着性を実現するには、イヤーパッドにはそのサイズの調整代が殆ど無いことが原因である。仮に、イヤーパッドがバッフル部材の貫通孔に干渉すると、所定の音響特性が得られなくなる。
【０００５】
従来には、音響通路がイヤーパッドにより覆われる位置に配置されたとしても、音響通路がイヤーパッドにより塞がれないように、動電型のヘッドホンユニットと、上記ヘッドホンユニットの周りに取り付けられたバッフル板と、上記バッフル板の一方の面側に装着され人体の側頭部に当接されるイヤーパッドと、上記ヘッドホンユニットの背面側を囲むように上記バッフル板の他方の面側に設けられたヘッドホンハウジングとを含み、上記バッフル板の周縁側で上記イヤーパッドにより覆われる位置に、上記ヘッドホンユニットが備える振動板の前後の空気室を音響的に接続する音響通路が形成されているヘッドホンにおいて、上記バッフル板の一方の面側には、上記音響通路の一端側に連通し、上記バッフル板の半径方向内側に向けて上記イヤーパッドにより覆われない位置にまで延び、上記イヤーパッドによって塞がれることのない深さを有する連通溝が形成されているヘッドホンがある（特許文献１）。
【０００６】
【特許文献１】特許第５７０７２７７号公報
【０００７】
しかしながら、特許文献１に記載されているヘッドホンでは、バッフル板の一方の面側に形成される連通溝は、振動板の前後の空気室を音響的に接続する音響通路の一端側に連通し、バッフル板の半径方向内側に向けてイヤーパッドにより覆われない位置にまで延び、イヤーパッドによって塞がれることのない深さを有することを必要とする。例えば、スピーカーユニットが取り付けられるバッフル板の内径側寸法と、イヤーパッドの内径寸法をほぼ揃えるように一致させるような寸法関係になる場合には、イヤーパッドにより覆われない位置にまで延びるような連通溝を設けることができず、所定の音響特性が得られなくなるという問題がある。
【発明の概要】
【発明が解決しようとする課題】
【０００８】
本発明は、上記の従来技術が有する問題を解決するためになされたものであり、その目的は、イヤーパッドを備えるヘッドホンに関し、イヤーパッドがバッフル部材の貫通孔に干渉しないようにして、所定の音響特性が得られるヘッドホンを提供することにある。
【課題を解決するための手段】
【０００９】
本発明のヘッドホンは、振動板を有して音声を再生する動電型スピーカーユニットと、動電型スピーカーユニットを取り付けるバッフル部材と、ユーザーの耳の周囲に当接して前面空間を規定するイヤーパッドと、イヤーパッドをバッフル部材の一方面側に取り付けるイヤーパッド取付部材と、バッフル部材の他方面側に背面空間を規定するハウジング部材と、を備えるヘッドホンであって、イヤーパッド取付部材が、イヤーパッドとバッフル部材との間に介在して、かつ、前面空間側から見る場合にイヤーパッドによって覆われて隠れる位置に取り付けられて、イヤーパッドとバッフル部材とを密着しないように離間させ、バッフル部材が、前面空間と背面空間とを連通させる貫通孔を、イヤーパッドによって覆われて隠れ、かつ、イヤーパッド取付部材によって塞がれない位置に有する。
【００１０】
好ましくは、本発明のヘッドホンは、イヤーパッド取付部材が、柱状、または、梁状の部材であって、その長さが、略円環状のイヤーパッドの径方向寸法における幅寸法長よりも短く形成されている。
【００１１】
また、本発明のヘッドホンは、バッフル部材が複数の貫通孔を有する場合に、複数のイヤーパッド取付部材がイヤーパッドとバッフル部材との間に介在して、イヤーパッドとバッフル部材とを密着しないように離間させる。
【００１２】
また、好ましくは、本発明のヘッドホンは、イヤーパッド取付部材が、柔軟性を有する多孔質材料により形成されている。
【００１３】
また、好ましくは、本発明のヘッドホンは、イヤーパッド取付部材が、イヤーパッドを密着するように支え、バッフル部材との間に離間空間を規定する略円環状の平面部をさらに有する。
【００１４】
また、本発明のヘッドホンは、イヤーパッド取付部材が、バッフル部材と一体に形成されている。
【００１５】
以下、本発明の作用について説明する。
【００１６】
本発明のヘッドホンは、振動板を有して音声を再生する動電型スピーカーユニットと、動電型スピーカーユニットを取り付けるバッフル部材と、ユーザーの耳の周囲に当接して前面空間を規定するイヤーパッドと、イヤーパッドをバッフル部材の一方面側に取り付けるイヤーパッド取付部材と、バッフル部材の他方面側に背面空間を規定するハウジング部材と、を備える。
【００１７】
ここで、イヤーパッド取付部材は、イヤーパッドとバッフル部材との間に介在して、かつ、前面空間側から見る場合にイヤーパッドによって覆われて隠れる位置に取り付けられて、イヤーパッドとバッフル部材とを密着しないように離間させる。また、バッフル部材は、前面空間と背面空間とを連通させる貫通孔を、イヤーパッドによって覆われて隠れ、かつ、イヤーパッド取付部材によって塞がれない位置に有する。したがって、本発明のヘッドホンは、イヤーパッドがバッフル部材の貫通孔に干渉しないようにして所定の音響特性が得られ、ヘッドホンの好ましい再生音質を実現することができる。
【００１８】
好ましくは、本発明のヘッドホンのイヤーパッド取付部材は、柱状、または、梁状の部材であって、その長さが、略円環状のイヤーパッドの径方向寸法における幅寸法長よりも短く形成されていればよい。したがって、スピーカーユニットが取り付けられるバッフル部材の内径側寸法と、イヤーパッドの内径寸法をほぼ揃えるように一致させるような寸法関係になる場合であっても、イヤーパッドがバッフル部材の貫通孔に干渉しないようにして所定の音響特性が得られる。
【００１９】
本発明のヘッドホンは、バッフル部材が複数の貫通孔を有する場合に、複数のイヤーパッド取付部材がイヤーパッドとバッフル部材との間に介在して、イヤーパッドとバッフル部材とを密着しないように離間させるものであればよい。イヤーパッドの変形量によらず通気量を一定に保つことができる。イヤーパッド取付部材が、柔軟性を有する多孔質材料により形成されている場合には、低音域の周波数帯域だけでなく、中高音域の周波数帯域も、適切な音響特性を得て好ましい再生音質を実現することができる。
【００２０】
イヤーパッド取付部材は、イヤーパッドを密着するように支え、バッフル部材との間に離間空間を規定する略円環状の平面部をさらに有するようにしてもよい。イヤーパッドを平面部で支えて、安定してバッフル部材の貫通孔に干渉しないようにすることができる。もちろん、イヤーパッド取付部材は、例えば、２色成型などの方法でバッフル部材と一体に形成されていてもよい。
【発明の効果】
【００２１】
本発明のヘッドホンは、イヤーパッドがバッフル部材の貫通孔に干渉しないようにして、所定の音響特性が得られて、好ましい音声再生が可能になる。
【図面の簡単な説明】
【００２２】
【図１】本発明の好ましい実施形態によるヘッドホンについて説明する図である。（実施例１）
【図２】本発明の好ましい実施形態によるヘッドホンのハウジングの内部構造について説明する図である。（実施例１）
【図３】本発明の好ましい実施形態によるヘッドホンのハウジングの内部構造について説明する図である。（実施例１）
【図４】本発明の好ましい実施形態によるヘッドホンの音圧周波数特性について説明するグラフである。
【図５】本発明の他の好ましい実施形態によるヘッドホンのハウジングの内部構造について説明する図である。（実施例２）
【発明を実施するための形態】
【００２３】
以下、本発明の好ましい実施形態によるヘッドホンについて説明するが、本発明はこれらの実施形態には限定されない。
【実施例１】
【００２４】
図１は、本発明の好ましい実施形態によるヘッドホン１について説明する図である。また、図２および図３は、ヘッドホン１のハウジング１０の内部構造を説明する図である。具体的には、図２（ｂ）は一方のハウジング１０を、後述するスピーカーユニット４およびイヤーパッド１３が主に見える前面空間１４の側から見た図であり、図２（ａ）は図２（ｂ）におけるＡ−Ａ’断面図である。また、図３は、説明のためにイヤーパッド１３を取り外した状態のハウジング１０を示し、図３（ａ）は図３（ｃ）におけるＡ−Ａ’断面図であり、図３（ｂ）は図３（ｃ）におけるＢ−Ｂ’断面図である。
【００２５】
本実施例のヘッドホン１は、ユーザーの頭部に載置するヘッドバンド３を備えるオーバーヘッドタイプのステレオヘッドホンである。ヘッドバンド３の両端には、左右のハウジング１０を少なくとも２軸方向でそれぞれ所定の範囲内で回動させて、ユーザーの両耳にそれぞれ当接するように調整可能な機構を有するハンガー２が備えられている。左右のハウジング１０には、それぞれ音声信号を供給することにより音を再生するスピーカーユニット４が取り付けられている。左右のハウジング１０の構成はほぼ共通するので、以下では一方のみについて説明する。もちろん、ヘッドホン１の形態は、本実施例の場合に限定されない。
【００２６】
ハウジング１０は、スピーカーユニット４の振動板の背面側に背面空間１５を規定するハウジング部材１１と、スピーカーユニット４を取り付けてハンガー２と連結するベース部材１２と、スピーカーユニット４の前側を囲むようにハウジング１０の前面に設けられるイヤーパッド１３と、を備えている。なお、スピーカーユニット４への配線コードなど、本発明の説明に不要な構成については、図示及び説明を省略する。
【００２７】
ハウジング部材１１は、スピーカーユニット４が取り付けられる内部側から見ると、外縁部が反り上がった皿形状の部材であり、本実施例の場合には樹脂材料で形成されている。ハウジング部材１１は、ハウジング１０のユーザーの頭部から最も遠いスピーカーユニット４の背面側を構成する部材であり、体積及び表面積が大きく、ヘッドホン１の重量、ならびに、その外観の美観に影響が大きい部材である。本実施例のハウジング部材１１は、後述するバッフル部材１２に連結している。本実施例の場合には、ハウジング１０は、クローズドタイプの背面空間１５を構成する。
【００２８】
バッフル部材１２は、スピーカーユニット４を取り付ける取付孔を中央付近に有する略環状の部材であって、ハウジング部材１１と同様に樹脂材料で形成されている。スピーカーユニット４のバッフル部材１２への固定には、ねじやボルト／ナット等の固定手段が用いられ、取付孔の周囲には必要な下穴が設けられる。また、ハウジング部材１１はバッフル部材１２の外周縁部に連結されている。Ａ−Ａ’断面図に示すように、バッフル部材１２は、ハウジング部材１１とともにスピーカーユニット４の振動板の背面側に背面空間１５を規定する。また、バッフル部材１２には、外周部にハンガー２との可動連結機構を有する略環状の金属材料で形成される部材が取り付けられている。
【００２９】
また、Ｂ−Ｂ’断面図に示すように、バッフル部材１２には、背面空間１５に連通する複数の貫通孔１６（本実施例では、計８カ所（１６ａ〜１６ｈ）。）が設けられていて、音質調整に必要な音響フィルタを構成する。貫通孔１６には、通気性を有する織布、または、不織布、などで形成される（図示しない）制動材などを併用することで、音響通路としての貫通孔１６の通気性を制御するのが好ましい。なお、バッフル部材１２には少なくとも一つのスピーカーユニット４が取り付けられればよく、取り付けられるスピーカーユニットの個数および種類に限定されない。
【００３０】
イヤーパッド１３は、ユーザーの耳あるいは耳の周囲の頭部に当接する耳当てであって、ウレタンなどの材料を含んで形成された柔軟な略環状の部材である。イヤーパッド１３は、スピーカーユニット４の前側を囲んで前面空間１４を規定するように、後述するイヤーパッド取付部材２０（本実施例では、計８個（２０ａ〜２０ｈ）。）を介してバッフル部材１２に取り付けられている。
【００３１】
バッフル部材１２の外周縁部の一方面側には、Ａ−Ａ’断面図またはＢ−Ｂ’断面図に示すように、イヤーパッド１３の外径縁部が当接する台部１２ａが、円環状の広い平面部に対して一段高くなるように形成されている。バッフル部材１２の台部１２ａは、イヤーパッド１３とともに、前面空間１４を規定する。
【００３２】
本実施例のイヤーパッド１３の外径側寸法Ｒｃは、ほぼ円形の外形寸法を有するバッフル部材１２に対応して、同様に中心点Ｏから半径Ｒｃの正円で規定される外径側寸法を有する。一方で、イヤーパッド１３の内径側寸法Ｒｂは、ユーザーの耳の寸法を考慮して、中心点Ｏからの正円で規定されない円環状であって、複数の異なる半径寸法の円弧を連結して形成される円環状になっている。
【００３３】
具体的には、図２（ｂ）および図３（ｃ）に示すように、イヤーパッド１３の内径側寸法Ｒｂは、中心点Ｏから軸Ａ−Ａ’のＡ端側の方向において相対的に短く、口径の大きいスピーカーユニット４の外径側寸法である半径Ｒａと一致している円弧を含む様になっている。また、イヤーパッド１３の内径側寸法Ｒｂは、中心点Ｏから軸Ａ−Ａ’のＡ’端側の方向において半径Ｒａよりも相対的に長くなる。その結果、スピーカーユニット４およびイヤーパッド１３が主に見える前面空間１４の側から見ると、バッフル部材１２の一方の面側の平面部の一部がイヤーパッド１３によって覆われずに露出するように見えている。
【００３４】
ハウジング１０では、スピーカーユニット４が大口径化してイヤーパッド１３の内径側に干渉しないぎりぎりの位置に配置される一方で、イヤーパッド１３の内径側を所定の寸法に設計しなければ、ヘッドホン１の快適な装着性を実現するのが難しくなる、という事情がある。したがって、バッフル部材１２の一方の面側は、中心点Ｏから軸Ａ−Ａ’のＡ端側の方向においてはほぼイヤーパッド１３により覆われて隠れて、中心点Ｏから軸Ａ−Ａ’のＡ’端側の方向においては一部がイヤーパッド１３によって覆われずに露出するように見えるようになっている。
【００３５】
一方で、ハウジング１０では、図２（ｂ）および図３（ｃ）に示すように、バッフル部材１２の一方の面側の露出する部分には、前面空間１４と背面空間１５とを連通させる貫通孔１６と、イヤーパッド取付部材２０とが、イヤーパッド１３によって覆われて出現しない。つまり、イヤーパッド１３を取り付けた状態のハウジング１０では、本実施例の計８カ所（１６ａ〜１６ｈ）の貫通孔１６と、計８個（２０ａ〜２０ｈ）のイヤーパッド取付部材２０とが、イヤーパッド１３によって覆われて隠れる位置に設けられている。
【００３６】
バッフル部材１２の貫通孔１６ａ〜１６ｈは、それぞれ所定の開口面積を有する貫通孔として設けられて、中心点Ｏから半径方向に約４５度の間隔となるように配置されている。中心点Ｏから軸Ａ−Ａ’のＡ端側の方向においては、貫通孔１６ａ、１６ｂ、１６ｇおよび１６ｈは、中心点Ｏからほぼ一定の半径で規定される位置に配置される。その一方で、バッフル部材１２の一方の面側が一部がイヤーパッド１３によって覆われずに露出するように見える中心点Ｏから軸Ａ−Ａ’のＡ’端側の方向においては、貫通孔１６ｃ、１６ｄ、１６ｅおよび１６ｆは、中心点Ｏから半径Ｒｂより大きな半径で規定される位置に配置される。
【００３７】
本実施例のイヤーパッド取付部材２０は、イヤーパッド１３とバッフル部材１２との間に介在して、イヤーパッド１３をバッフル部材１２の一方面側に取り付けるとともに、イヤーパッド１３とバッフル部材１２とを密着しないように離間させる。例えば、本実施例の計８個（２０ａ〜２０ｈ）のイヤーパッド取付部材２０の内で、イヤーパッド取付部材２０ａと２０ｂは、貫通孔１６ａを間に挟むように配置されて、イヤーパッド１３が貫通孔１６ａを塞がないようにしている。同様にして、計８個のイヤーパッド取付部材２０ａ〜２０ｈは、中心点Ｏから半径方向に約４５度の間隔となるように配置されている。
【００３８】
ただし、計８個のイヤーパッド取付部材２０ａ〜２０ｈは、取り付けられる位置に応じて柱状、または、梁状の長さが、イヤーパッド１３の径方向寸法における幅寸法長に応じて、異なるように設定されている。つまり、イヤーパッド取付部材２０ａ〜２０ｈの径方向の長さは、略円環状のイヤーパッド１３の径方向寸法における幅寸法長よりも短く形成されている。したがって、イヤーパッド取付部材２０ａ〜２０ｈは、前面空間１４の側からハウジング１０を見る場合に、イヤーパッド１３によって覆われて隠れることになる。
【００３９】
例えば、イヤーパッド取付部材２０ｃ〜２０ｇは、イヤーパッド取付部材２０ａ、２０ｂおよび２０ｈよりも内径側に近い端部側が短く形成されて、イヤーパッド取付部材２０ｅではほぼ四角柱状に形成されている。また、全てのイヤーパッド取付部材２０ａ〜２０ｈは、バッフル部材１２の外径側に近い端部側が、中心点Ｏから半径Ｒｃで規定されるイヤーパッド１３の外径側寸法にまで至らない寸法に短く形成されている。つまり、イヤーパッド取付部材２０ｃ〜２０ｇは、外周側の端部が一段高くなるように形成されるバッフル部材１２の台部１２ａまで至らないので、イヤーパッド１３の外周側で通気する構造をつくることができる。
【００４０】
本実施例のハウジング１０を含むヘッドホン１は、イヤーパッド取付部材２０が、イヤーパッド１３がバッフル部材１２に設けられる複数の貫通孔１６に干渉しないようにするので、所定の音響特性が得られ、ヘッドホン１としての好ましい再生音質を実現することができる。スピーカーユニット４の口径が大きくなり、スピーカーユニット４が取り付けられるバッフル部材１２の内径側寸法と、イヤーパッド１３の内径寸法をほぼ揃えるように一致させるような寸法関係になる場合であっても、イヤーパッド１３がバッフル部材１２の貫通孔１６に干渉しないようにして、所定の音響特性が得られる。
【００４１】
複数のイヤーパッド取付部材２０は、バッフル部材１２が複数の貫通孔１６を有する場合に、イヤーパッド１３とバッフル部材１２との間に介在して、イヤーパッド１３とバッフル部材１２とを密着しないように離間させるものであればよく、イヤーパッド１３の変形量によらず通気量を一定に保つことができるものであれば、形成する材料を特に選ばない。イヤーパッド取付部材２０は、バッフル部材１２と同様の樹脂材料で形成してもよく、また、２色成型などの方法でバッフル部材１２を形成する樹脂材料とは別の樹脂材料を用いて、バッフル部材１２と一体に形成されていてもよい。ただし、イヤーパッド取付部材２０が、柔軟性を有する多孔質材料により形成されている場合には、低音域の周波数帯域だけでなく、中高音域の周波数帯域も、適切な音響特性を得て好ましい再生音質を実現することができる。
【００４２】
本実施例の計８個（２０ａ〜２０ｈ）のイヤーパッド取付部材２０は、柔軟性を有する多孔質材料により、ほぼ柱状、または、梁状の部材に形成されている。例えば、イヤーパッド取付部材２０は、ウレタンフォームなどの多孔質材料により形成された発泡体であればよく、力を加えない場合に所定の成型寸法を保ち、所定の力を加える場合にもその場合の所定の範囲の成型寸法に変形するような柔軟性を有していればよい。イヤーパッド１３が貫通孔１６に干渉しないので、所定の音響特性が得られ、ヘッドホン１としての好ましい再生音質を実現することができる。
【００４３】
図４は、ヘッドホン１の音圧周波数特性について説明するグラフであり、横軸は入力音声信号の周波数を示し、縦軸は音圧レベルを示す。図４は、本実施例の場合を含み、イヤーパッド取付部材２０の形状寸法の相違を示している。図４（ａ）は、本実施例に相当するイヤーパッド取付部材２０（２０ａ〜２０ｈ）を用いるハウジング１０を備えたヘッドホン１の場合である。また、図４（ｂ）は、本実施例に対比して、それぞれの（図示しない）イヤーパッド取付部材２０が外径側に延びて長くなり、一段高くなるように形成されるバッフル部材１２の台部１２ａまで至って、イヤーパッド１３の外周側で通気しない構造になっている場合である。つまり、図４（ａ）および図４（ｂ）の場合には、イヤーパッド取付部材２０が、前面空間側から見る場合にイヤーパッドによって覆われて隠れる位置に取り付けられていることになる。
【００４４】
また、図４（ｃ）は、図４（ｂ）の場合に対比して、それぞれの（図示しない）イヤーパッド取付部材２０が内径側に延びて長くなり、スピーカーユニット４の外径側寸法である半径Ｒａと一致するまで至って、イヤーパッド１３により覆われない位置にまで延びる構造になっている比較例の場合である。この比較例の場合には、イヤーパッド取付部材２０が、前面空間１４の側から見る場合に中心点Ｏから軸Ａ−Ａ’のＡ’端側の方向においては、イヤーパッド１３によって覆われずに隠れず、一部が露出して見える位置に取り付けられている。
【００４５】
図４のグラフに示すように、イヤーパッド取付部材２０の外径側寸法および内径側寸法の相違により、ヘッドホン１の音圧周波数特性は変化する。図４（ａ）に示す本実施例のイヤーパッド取付部材２０の場合には、低音域の周波数帯域においてピーク・ディップが抑えられている。一方で、図４（ｂ）に示す場合には、低音域の周波数帯域において音圧レベルを高めることができる。また。多孔質材料のイヤーパッド取付部材２０の形状寸法を変えることにより、低音域の周波数帯域だけでなく、中高音域の周波数帯域も、適切な音響特性を得て好ましい再生音質を実現することができる。
【００４６】
なお、図４（ｃ）に示す比較例の場合には、同様に低音域の周波数帯域の音圧周波数特性は変化する。しかし、イヤーパッド取付部材２０が露出するので、美観的に好ましくないヘッドホン１となってしまう欠点がある。また、スピーカーユニット４が取り付けられるバッフル部材１２の内径側寸法とほぼ一致するスピーカーユニット４の外径側寸法である半径Ｒａと、イヤーパッド１３の内径寸法Ｒｂをほぼ揃えるように一致させるような寸法関係になる場合には、採用できない構造である。
【００４７】
なお、イヤーパッド取付部材２０の形状は、柱状、または、梁状の部材であればよく、角柱状または略直方体状の梁状とは限らず、円柱状でも、多角形の柱状であってもよい。イヤーパッド取付部材２０の大きさは、イヤーパッド１３によって覆われて隠れるものであればよく、前面空間１４と背面空間１５とを連通させる貫通孔１６を塞がないものであればよい。
【実施例２】
【００４８】
図５は、本発明の他の好ましい実施形態によるヘッドホン１のハウジング１０ａの内部構造を説明する図である。具体的には、図５（ａ）は、上記の実施例における図３（ａ）に相当するＡ−Ａ’断面図であり、図５（ｂ）は、図３（ｂ）に相当するＢ−Ｂ’断面図である。
【００４９】
本実施例のハウジング１０ａは、上記の実施例におけるヘッドホン１のハウジング１０に代えて用いることができるように構成がほぼ共通する他の実施例である。相違点は、イヤーパッド取付部材２０が、略円環状の平面部２１をさらに有するところである。したがって、上記実施例と共通する構成については、説明を省略する。
【００５０】
本実施例のイヤーパッド取付部材２０は、イヤーパッド１３とバッフル部材１２との間に介在して、イヤーパッド１３をバッフル部材１２の一方面側に取り付けるとともに、イヤーパッド１３とバッフル部材１２とを密着しないように離間させる点では、上記実施例と共通する。ただし、イヤーパッド取付部材２０には、イヤーパッド１３を密着するように支え、バッフル部材１２との間に離間空間を規定する略円環状の平面部２１を形成する部材をさらに有する。
【００５１】
イヤーパッド取付部材２０の平面部２１は、イヤーパッド１３を密着するように支える所定の剛性を有する薄い材料であればよく、適宜に選択することができる。例えば、平面部２１は、力を加えない場合に所定の形状寸法を保ち、所定の力を加える場合にもその場合の所定の範囲の形状寸法に変形するような柔軟性を有するような樹脂のフィルム材であってもよい。イヤーパッド１３が変形しても、貫通孔１６に干渉しなくなるので、所定の音響特性が得られ、ヘッドホン１としての好ましい再生音質を実現することができる。
【００５２】
ヘッドホン１のハウジング１０の構成は、上記実施例の場合に限られない。上記実施例の場合には、ハウジング部材１１とバッフル部材１２とが連結しているが、バッフル部材１２が他のベース部材に連結されており、ハウジング部材１１もこのベース部材に連結するような構成になっていてもよい。その場合には、このベース部材にハンガー２との可動連結機構を設けてもよい。
【産業上の利用可能性】
【００５３】
本発明のヘッドホンは、オーバーヘッドタイプに限らず、イヤホンタイプのヘッドホンであってもよい。ヘッドホンは、上記実施例のようなハウジングが規定するスピーカー振動板の背面側空間が閉じられたクローズドタイプに限らず、オープンタイプのヘッドホンであってもよい。家庭用のステレオ再生、もしくはマルチチャンネルサラウンド再生に限られず、車載用のオーディオ機器や、映画館等の音響再生設備にも適用が可能である。
【符号の説明】
【００５４】
１            ヘッドホン
２            ハンガー
３            ヘッドバンド
４            スピーカーユニット
１０          ハウジング
１１          ハウジング部材
１２          バッフル部材
１３          イヤーパッド
１４          前面空間
１５          背面空間
１６          貫通孔
２０          イヤーパッド取付部材
２１          平面部
【図１】
2019149690.tif 000003
【図２】
2019149690.tif 000004
【図３】
2019149690.tif 000005
【図４】
2019149690.tif 000006
【図５】
2019149690.tif 000007